(57)【要約】【課題】他の視聴者に対して影響を与えることなく、多人数の視聴者がテレビジョン放送の任意のデータ放送を操作、鑑賞することのできるデータ放送受信システム、データ放送受信装置、データ放送受信方法を提供する。【解決手段】映像ストリームは、映像表示手段１１０に表示し、データストリームは、データ表示手段１０９に表示し、視聴者の操作を受け付ける制御信号入力手段１０８と、データ放送のデータ表示を行うデータ表示手段１０９とを備えた表示制御手段１１２を利用者の人数分だけ設ける。【選択図】      図１
2005184499.tif 000002
【特許請求の範囲】
【請求項１】
映像ストリームと音声ストリームとデータストリームとを多重化したストリームを入力する多重化ストリーム入力手段と、前記多重化ストリーム入力手段から出力する前記ストリームを前記映像ストリームと前記音声ストリームと前記データストリームとに分離するストリーム分離手段と、前記ストリーム分離手段によって分離した前記データストリームを記憶するデータ記憶手段と、前記ストリーム分離手段によって分離した前記映像ストリームを復号化する映像ストリーム復号化手段と、前記ストリーム分離手段によって分離した前記音声ストリームを復号化する音声ストリーム復号化手段と、前記映像ストリーム復号化手段によって復号化した映像データを記憶する映像記憶手段と、前記データ記憶手段に記憶している前記データストリームと前記映像記憶手段に記憶している前記映像データとからデータ表示画面を生成するデータ表示画面生成手段と、視聴者からの操作情報を入力する制御信号入力手段と前記データ表示画面生成手段によって生成した前記データ表示画面を表示するデータ表示手段とを有する表示制御手段と、前記映像ストリーム復号化手段によって復号化した前記映像データを表示する映像表示手段と、前記音声ストリーム復号化手段によって復号化した音声データを発音する発音手段とを有することを特徴とするデータ放送受信システム。
【請求項２】
前記表示制御手段は、端末装置を有することを特徴とする請求項１記載のデータ放送受信システム。
【請求項３】
前記端末装置は、パーソナルディジタルアシスタントまたはパーソナルコンピュータを有することを特徴とする請求項２記載のデータ放送受信システム。
【請求項４】
前記表示制御手段は、複数設けることを特徴とする請求項１または２記載のデータ放送受信システム。
【請求項５】
前記表示制御手段と前記データ表示画面生成手段とは、無線送受信手段を有することを特徴とする請求項１記載のデータ放送受信システム。
【請求項６】
前記無線送受信手段は、赤外線送受信インタフェースを有することを特徴とする請求項５記載のデータ放送受信システム。
【請求項７】
映像ストリームと音声ストリームとデータストリームとを多重化したストリームを入力する多重化ストリーム入力手段と、前記多重化ストリーム入力手段から出力する前記ストリームを前記映像ストリームと前記音声ストリームと前記データストリームとに分離するストリーム分離手段と、前記ストリーム分離手段によって分離した前記データストリームを記憶するデータ記憶手段と、前記ストリーム分離手段によって分離した前記映像ストリームを復号化する映像ストリーム復号化手段と、前記ストリーム分離手段によって分離した前記音声ストリームを復号化する音声ストリーム復号化手段と、前記映像ストリーム復号化手段によって復号化した映像データを記憶する映像記憶手段と、前記データ記憶手段に記憶している前記データストリームと前記映像記憶手段に記憶している前記映像データとからデータ表示画面を生成するデータ表示画面生成手段とを有することを特徴とするデータ放送受信装置。
【請求項８】
前記データ表示画面生成手段は、端末装置からの操作情報を受信し前記データ表示画面を生成し前記端末装置へ前記データ表示画面を送信する送受信手段を有することを特徴とする請求項７記載のデータ放送受信装置。
【請求項９】
前記送受信手段は、無線送受信手段を有することを特徴とする請求項８記載のデータ放送受信装置。
【請求項１０】
前記無線送受信手段は、赤外線送受信インタフェースを有することを特徴とする請求項９記載のデータ放送受信装置。
【請求項１１】
前記端末装置は、パーソナルディジタルアシスタントまたはパーソナルコンピュータを有することを特徴とする請求項８記載のデータ放送受信装置。
【請求項１２】
前記映像ストリーム復号化手段は、復号化した前記映像データを映像表示手段へ出力し、前記音声ストリーム復号化手段は、復号化した音声データを発音手段へ出力することを特徴とする請求項７記載のデータ放送受信装置。
【請求項１３】
映像ストリームと音声ストリームとデータストリームとを多重化したストリームを多重化ストリーム入力手段により入力するステップと、入力した前記ストリームをストリーム分離手段により前記映像ストリームと前記音声ストリームと前記データストリームとに分離するステップと、分離した前記映像ストリームを映像ストリーム復号化手段へ前記音声ストリームを音声ストリーム復号化手段へ前記データストリームをデータ記憶手段へ各々入力するステップと、前記映像ストリーム復号化手段によって復号化した映像データを映像記憶手段に記憶するステップと、前記データ記憶手段に記憶した前記データストリームと前記映像記憶手段に記憶した前記映像データとからデータ表示画面生成手段によりデータ表示画面を生成するステップと、視聴者からの操作情報を表示制御手段の制御信号入力手段により前記データ表示画面生成手段へ入力するステップと、前記データ表示画面生成手段によって生成した前記データ表示画面を前記表示制御手段のデータ表示手段により表示するステップと、前記映像ストリーム復号化手段によって復号化した前記映像データを映像表示手段により表示するステップと、前記音声ストリーム復号化手段によって復号化した音声データを発音手段により発音するステップとを有することを特徴とするデータ放送受信方法。
【請求項１４】
前記制御信号入力手段は、操作情報の入力を制御信号に変換するステップと、前記制御信号がデータ表示信号であるか否かを判定するステップと、前記制御信号がデータ表示信号であるとき前記制御信号を前記データ表示画面生成手段に送信するステップと、前記制御信号がデータ表示信号でないとき前記制御信号が終了コマンドであるか否かを判定するステップとを有することを特徴とする請求項１３記載のデータ放送受信方法。
【請求項１５】
前記表示制御手段は、端末装置を有することを特徴とする請求項１３記載のデータ放送受信方法。
【請求項１６】
前記端末装置は、パーソナルディジタルアシスタントまたはパーソナルコンピュータを有することを特徴とする請求項１５記載のデータ放送受信方法。
【請求項１７】
前記表示制御手段は、複数設けることを特徴とする請求項１３または１５記載のデータ放送受信方法。
【請求項１８】
前記表示制御手段と前記データ表示画面生成手段とは、無線送受信手段を有することを特徴とする請求項１３記載のデータ放送受信方法。
【請求項１９】
前記無線送受信手段は、赤外線送受信インタフェースを有することを特徴とする請求項１８記載のデータ放送受信方法。
【発明の詳細な説明】
【技術分野】
【０００１】
本発明はデータ放送受信システム、データ放送受信装置、データ放送受信方法に関し、特に、多人数での利用に適したデータ放送受信システム、データ放送受信装置、データ放送受信方法に関する。
【背景技術】
【０００２】
従来のこの種のデータ放送受信システムとして、図５に示すようなものがある（例えば、非特許文献１参照。）。
【０００３】
図５を参照すると、データ放送受信システム５０は、多重化ストリーム入力手段４０１と、ストリーム分離手段４０２と、データ記憶手段４０３と、データ表示画面生成手段４０７と、映像ストリーム復号化手段４０４と、映像記憶手段４０６と、表示画面切替手段４０９と、表示手段４１０と、音声ストリーム復号化手段４０５と、発音手段４１１と、制御信号入力手段４０８とで構成されている。
【０００４】
上述のように構成されたデータ放送受信システム５０は、次のように動作する。
【０００５】
多重化ストリーム入力手段４０１は、映像ストリーム、音声ストリームおよびデータストリームを多重化したストリームを入力する。ストリーム分離手段４０２は、多重化ストリーム入力手段４０１によって入力したストリームから映像ストリーム、音声ストリームおよびデータストリームをそれぞれ分離する。
【０００６】
データ記憶手段４０３は、ストリーム分離手段４０２によって分離したデータストリームを記憶し、データ表示画面生成手段４０７は、データ記憶手段４０３に記憶しているデータストリームをシンタックスに従って表示画面に変換し、映像ストリーム復号化手段４０４は、符号化されている映像ストリームを復号化して表示可能な映像を生成し、映像記憶手段４０６は、映像ストリーム復号化手段４０４によって復号化された映像を記憶する。
【０００７】
表示画面切替手段４０９は、データ表示画面生成手段４０７によって生成されたデータ表示画面と映像記憶手段４０６に記憶している映像とを切り替える。
【０００８】
表示手段４１０は、表示画面切替手段４０９によって切り替えられた画面を表示し、音声ストリーム復号化手段４０５は、符号化されている音声ストリームを復号化して発音可能な音声を生成し、発音手段４１１は、音声ストリーム復号化手段４０５によって復号化された音声を発音する。
【０００９】
制御信号入力手段４０８は、リモコン等で送信された視聴者からの操作指示をデータ表示画面生成手段４０７または表示画面切替手段４０９に伝えることで、データ放送コンテンツの操作またはデータ表示画面と映像との切り替え操作を行う。
【００１０】
従って、上述のデータ放送受信システム５０は、同一時刻にデータ放送コンテンツの操作または表示画面の切り替えを行うことができるのは一人だけに限定され、また、一人の操作によって他の利用者も表示画面が変化する影響を受けてしまうため、多人数での利用には適していないという欠点がある。
【００１１】
そこで、上記欠点を解決すべく、データ放送で受信した受信データからカテゴリ別情報を抽出し、カテゴリ別情報のカテゴリが、要求カテゴリリストに設定されている場合に、カテゴリ別情報を選択して表示し、また、受信データを表示するデータ表示装置をテレビジョン映像の映像表示装置とは別個に設けることにより、ユーザの個別ニーズにあった情報のみをデータ表示装置へ表示するものもある（例えば、特許文献１参照。）。
【００１２】
しかし、上記特許文献１の技術は、テレビジョン放送のデータ放送の中から視聴者が事前に要求カテゴリリストとして登録したカテゴリに該当するカテゴリ別情報のみを選択して表示するため、各視聴者は、テレビジョン放送の任意のデータ放送を操作、鑑賞することができないという欠点がある。
【００１３】
【非特許文献１】社団法人電波産業会「ＢＳデジタル放送運用規定、技術資料、ＡＲＩＢ、ＴＲーＢ１５」、平成１３年２月１．１版（第一分冊）、（第３ー６頁から第３ー７頁）
【特許文献１】特開２００１ー１４５０４２号公報
【発明の開示】
【発明が解決しようとする課題】
【００１４】
以上説明したように、非特許文献１記載の技術は、同一時刻にデータ放送コンテンツの操作または表示画面の切り替えを行うことができるのは一人だけに限定され、また、一人の操作によって他の利用者も表示画面が変化する影響を受けてしまうため、多人数での利用には適さないという課題がある。
【００１５】
また、特許文献１記載の技術は、テレビジョン放送のデータ放送の中から視聴者が事前に要求カテゴリリストとして登録したカテゴリに該当するカテゴリ別情報のみを選択して表示するため、各視聴者は、テレビジョン放送の任意のデータ放送を操作、鑑賞することができないという課題がある。
【００１６】
本発明の目的は、上記課題を解決すべく、他の視聴者に対して影響を与えることなく多人数の視聴者がテレビジョン放送の任意のデータ放送を操作、鑑賞することのできるデータ放送受信システム、データ放送受信装置、データ放送受信方法を提供することにある。
【課題を解決するための手段】
【００１７】
本発明のデータ放送受信システムは、映像ストリームと音声ストリームとデータストリームとを多重化したストリームを入力する多重化ストリーム入力手段と、多重化ストリーム入力手段から出力するストリームを映像ストリームと音声ストリームとデータストリームとに分離するストリーム分離手段と、ストリーム分離手段によって分離したデータストリームを記憶するデータ記憶手段と、ストリーム分離手段によって分離した映像ストリームを復号化する映像ストリーム復号化手段と、ストリーム分離手段によって分離した音声ストリームを復号化する音声ストリーム復号化手段と、映像ストリーム復号化手段によって復号化した映像データを記憶する映像記憶手段と、データ記憶手段に記憶しているデータストリームと映像記憶手段に記憶している映像データとからデータ表示画面を生成するデータ表示画面生成手段と、視聴者からの操作情報を入力する制御信号入力手段とデータ表示画面生成手段によって生成したデータ表示画面を表示するデータ表示手段とを有する表示制御手段と、映像ストリーム復号化手段によって復号化した映像データを表示する映像表示手段と、音声ストリーム復号化手段によって復号化した音声データを発音する発音手段とを有することを特徴とする。
【００１８】
表示制御手段は、端末装置を有することを特徴とする。
【００１９】
端末装置は、パーソナルディジタルアシスタントまたはパーソナルコンピュータを有することを特徴とする。
【００２０】
表示制御手段は、複数設けることを特徴とする。
【００２１】
表示制御手段とデータ表示画面生成手段とは、無線送受信手段を有することを特徴とする。
【００２２】
無線送受信手段は、赤外線送受信インタフェースを有することを特徴とする。
【００２３】
本発明のデータ放送受信装置は、映像ストリームと音声ストリームとデータストリームとを多重化したストリームを入力する多重化ストリーム入力手段と、多重化ストリーム入力手段から出力するストリームを映像ストリームと音声ストリームとデータストリームとに分離するストリーム分離手段と、ストリーム分離手段によって分離したデータストリームを記憶するデータ記憶手段と、ストリーム分離手段によって分離した映像ストリームを復号化する映像ストリーム復号化手段と、ストリーム分離手段によって分離した音声ストリームを復号化する音声ストリーム復号化手段と、映像ストリーム復号化手段によって復号化した映像データを記憶する映像記憶手段と、データ記憶手段に記憶しているデータストリームと映像記憶手段に記憶している映像データとからデータ表示画面を生成するデータ表示画面生成手段とを有することを特徴とする。
【００２４】
データ表示画面生成手段は、端末装置からの操作情報を受信しデータ表示画面を生成し端末装置へデータ表示画面を送信する送受信手段を有することを特徴とする。
【００２５】
送受信手段は、無線送受信手段を有することを特徴とする。
【００２６】
無線送受信手段は、赤外線送受信インタフェースを有することを特徴とする。
【００２７】
端末装置は、パーソナルディジタルアシスタントまたはパーソナルコンピュータを有することを特徴とする。
【００２８】
映像ストリーム復号化手段は、復号化した映像データを映像表示手段へ出力し、音声ストリーム復号化手段は、復号化した音声データを発音手段へ出力することを特徴とする。
【００２９】
本発明のデータ放送受信方法は、映像ストリームと音声ストリームとデータストリームとを多重化したストリームを多重化ストリーム入力手段により入力するステップと、入力したストリームをストリーム分離手段により映像ストリームと音声ストリームとデータストリームとに分離するステップと、分離した映像ストリームを映像ストリーム復号化手段へ音声ストリームを音声ストリーム復号化手段へデータストリームをデータ記憶手段へ各々入力するステップと、映像ストリーム復号化手段によって復号化した映像データを映像記憶手段に記憶するステップと、データ記憶手段に記憶したデータストリームと映像記憶手段に記憶した映像データとからデータ表示画面生成手段によりデータ表示画面を生成するステップと、視聴者からの操作情報を表示制御手段の制御信号入力手段によりデータ表示画面生成手段へ入力するステップと、データ表示画面生成手段によって生成したデータ表示画面を表示制御手段のデータ表示手段により表示するステップと、映像ストリーム復号化手段によって復号化した映像データを映像表示手段により表示するステップと、音声ストリーム復号化手段によって復号化した音声データを発音手段により発音するステップとを有することを特徴とする。
【００３０】
制御信号入力手段は、操作情報の入力を制御信号に変換するステップと、制御信号がデータ表示信号であるか否かを判定するステップと、制御信号がデータ表示信号であるとき制御信号をデータ表示画面生成手段に送信するステップと、制御信号がデータ表示信号でないとき制御信号が終了コマンドであるか否かを判定するステップとを有することを特徴とする。
【００３１】
表示制御手段は、端末装置を有することを特徴とする。
【００３２】
端末装置は、パーソナルディジタルアシスタントまたはパーソナルコンピュータを有することを特徴とする。
【００３３】
表示制御手段は、複数設けることを特徴とする。
【００３４】
表示制御手段とデータ表示画面生成手段とは、無線送受信手段を有することを特徴とする。
【００３５】
無線送受信手段は、赤外線送受信インタフェースを有することを特徴とする。
【発明の効果】
【００３６】
本発明のデータ放送受信システム、データ放送受信装置、データ放送受信方法は、データ放送の表示を行うデータ表示手段と番組映像の表示を行う映像表示手段とを分離し、制御信号入力手段とデータ表示手段とを備えた表示制御手段をデータ放送の利用者数分だけ設けることで、他の視聴者に対して影響を与えることなく、多人数の視聴者がテレビジョン放送の任意のデータ放送を操作、鑑賞することができるという効果がある。
【発明を実施するための最良の形態】
【００３７】
次に、本発明を実施するための最良の形態について、図面を参照して説明する。
【００３８】
図１は、本発明のデータ放送受信システムの実施の形態を示す構成ブロック図である。
【００３９】
図１を参照すると、データ放送受信システム１は、データ放送受信装置１００と、複数の表示制御手段１１２と、映像データを表示する映像表示手段１１０と、音声データを発音する発音手段１１１とで構成する。
【００４０】
データ放送受信装置１００は、映像ストリームと音声ストリームとデータストリームとを多重化したストリームを入力する多重化ストリーム入力手段１０１と、多重化ストリーム入力手段１０１から出力するストリームを映像ストリームと音声ストリームとデータストリームとに分離するストリーム分離手段１０２と、ストリーム分離手段１０２によって分離したデータストリームを記憶するデータ記憶手段１０３と、ストリーム分離手段１０２によって分離した映像ストリームを復号化する映像ストリーム復号化手段１０４と、ストリーム分離手段１０２によって分離した音声ストリームを復号化する音声ストリーム復号化手段１０５と、映像ストリーム復号化手段１０４によって復号化した映像データを記憶する映像記憶手段１０６と、データ記憶手段１０３に記憶しているデータストリームと映像記憶手段１０６に記憶している映像データとからデータ表示画面を生成するデータ表示画面生成手段１０７とで構成する。
【００４１】
表示制御手段１１２は、視聴者からの操作情報を入力する制御信号入力手段１０８と、データ表示画面生成手段１０７によって生成したデータ表示画面を表示するデータ表示手段１０９とで構成する。
【００４２】
次に、上述のように構成されたデータ放送受信システム１の動作について、図面を参照して説明する。
【００４３】
図２は、データ放送受信システム１の動作を示すフローチャートである。
【００４４】
図１を参照すると、多重化ストリーム入力手段１０１によって、映像ストリーム、音声ストリームおよびデータストリームの多重化されたストリームを入力する。ストリーム分離手段１０２は、多重化ストリーム入力手段１０１から入力したストリームを映像ストリーム、音声ストリームおよびデータストリームの各々に分離し、それぞれ映像ストリーム復号化手段１０４、音声ストリーム復号化手段１０５、データ記憶手段１０３に出力する。
【００４５】
データ表示画面生成手段１０７は、制御信号入力手段１０８からの制御信号に対応して、データ記憶手段１０３に記憶しているデータストリームと映像記憶手段１０６に記憶している映像データとからデータ表示画面を生成し、生成したデータ表示画面をデータ表示手段１０９に送信する。
【００４６】
映像ストリーム復号化手段１０４は、分離された映像ストリームを復号化し、複合化した映像ストリームを映像記憶手段１０６に記憶させると共に、映像表示手段１１０に入力し、映像表示手段１１０は、映像データを表示する。
【００４７】
音声ストリーム復号化手段１０５は、分離された音声ストリームを復号化し、複合化した音声ストリームを発音手段１１１に入力し、発音手段１１１は、音声を発音する。
【００４８】
表示制御手段１１２は、制御信号入力手段１０８によって視聴者の操作を受け付け、操作の結果をデータ表示手段１０９に表示するが、以下にその動作を図２を参照して説明する。
【００４９】
まず、制御信号入力手段１０８は、視聴者の操作入力があるか否かを判定し（ステップＡ１）、入力があれば図示しない変換部で入力信号を制御信号に変換する（ステップＡ２）。制御信号に変換後、制御信号がデータ表示に関係するもの（データ表示信号）であるか否かを判定する（ステップＡ３）。
【００５０】
制御信号がデータ表示に関係する場合は、制御信号をデータ表示画面生成手段１０７へ送信し、データ表示画面生成手段１０７は、受信した制御信号に応じたデータ表示画面を生成し（ステップＡ４）、生成したデータ表示画面をデータ表示手段１０９に送信し、データ表示手段１０９は、受信したデータ表示画面を表示する（ステップＡ５）。
【００５１】
データ表示が終了すると、上記（ステップＡ１）に戻り、制御信号入力手段１０８は、視聴者の操作入力を待つ。
【００５２】
上記（ステップＡ３）において、制御信号がデータ表示に関係するものでない場合、制御信号が終了コマンドであるか否かを判定する（ステップＡ６）。
【００５３】
終了コマンドでない場合は、上記（ステップＡ１）に戻り、制御信号入力手段１０８は、視聴者の操作入力を待ち、終了コマンドの場合は、処理を終了する（ステップＡ７）。
【００５４】
なお、表示制御手段１１２とデータ表示画面生成手段１０７とは、図示しない赤外線送受信インタフェースを備えており、無線通信を行う。
【００５５】
上述のように、表示制御手段１１２をデータ放送の利用者分だけ設け、映像ストリームは、映像表示手段１１０に表示し、データストリームは、データ表示手段１０９に表示する構成とすることにより、多人数で利用している場合、一人がデータ表示に関する操作を行なったとき、操作者のデータ表示手段１０９のみに影響し、他の全員が視聴している映像表示手段１１０には影響を与えることなく、各視聴者は、自己の好みに合わせてテレビジョン放送の任意のデータ放送を操作、鑑賞することができる。
【００５６】
次に、本発明の具体的な実施例について、図面を参照して説明する。
【００５７】
図３は、本発明のデータ放送受信システムの具体的実施例を示す構成ブロック図である。
【００５８】
なお、ここでは既述の図１に示すデータ放送受信システム１の構成要素との対比関係を主として説明する。
【００５９】
図３を参照すると、データ放送受信システム２は、データ放送受信装置３００と、端末装置である複数のＰＤＡ（Ｐｅｒｓｏｎａｌ  Ｄｉｇｉｔａｌ  Ａｓｓｉｓｔａｎｔ）３０８と、ディスプレイ３１１と、アンプ３１２とで構成しており、ＭＰＥＧー２ＴＳ（Ｍｏｖｉｎｇ  Ｐｉｃｔｕｒｅ  Ｅｘｐｅｒｔｓ  Ｇｒｏｕｐ  Ｐｈａｓｅ２  Ｔｒａｎｓｐｏｒｔ  Ｓｔｒｅａｍ）によって伝送されるＢＳ（Ｂｒｏａｄｃａｓｔ  Ｓａｔｅｌｌｉｔｅ）デジタルテレビジョン放送を受信する。
【００６０】
端末装置は、ＰＤＡ３０８に代え、パーソナルコンピュータで構成してもよい。
【００６１】
データ放送受信装置３００は、ＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４インタフェース３０１と、ＭＰＥＧー２ＴＳスプリッタ３０２と、ＭＰＥＧー２ビデオデコーダ３０４と、ＭＰＥＧー２オーディオデコーダ３０５と、ＢＭＬ（Ｂｒｏａｄｃａｓｔ  Ｍａｒｋｕｐ  Ｌａｎｇｕａｇｅ）文書バッファ３０３と、映像バッファ３０６と、ＢＭＬブラウザ３０７と、ビデオＤＡＣ（ＤｉｇｉｔａｌーＡｎａｌｏｇ  Ｃｏｎｖｅｒｔｅｒ）３０９と、オーディオＤＡＣ３１０とから構成する。
【００６２】
ＩＥＥＥ１３９４インタフェース３０１は、図１における多重化ストリーム入力手段１０１に対応し、ＩＥＥＥ１３９４インタフェースを通じて伝送されたＭＰＥＧー２ＴＳを入力する。
【００６３】
ＭＰＥＧー２ＴＳスプリッタ３０２は、図１におけるストリーム分離手段１０２に対応し、ＩＥＥＥ１３９４インタフェース３０１によって入力されたＭＰＥＧー２ＴＳのパケットヘッダ（図示せず）にあるＰＩＤ（Ｐａｃｋｅｔ  ＩＤｅｎｔｉｆｉｅｒ）を参照して、映像ストリームと音声ストリームとデータストリームとを分離する。
【００６４】
図４に示すように、パケットヘッダにあるＰＩＤの１、２、３に対応して各々映像ストリーム、音声ストリーム、データストリームとなっており、ＭＰＥＧー２ＴＳスプリッタ３０２は、ＰＩＤを参照することで、ストリームを分離することができる。
【００６５】
ＢＭＬ文書バッファ３０３は、図１におけるデータ記憶手段１０３に対応し、ＭＰＥＧー２ＴＳスプリッタ３０２で分離されたデータストリーム中のＢＭＬ文書を保持する。
【００６６】
ＭＰＥＧー２ビデオデコーダ３０４は、図１における映像ストリーム復号化手段１０４に対応し、ＭＰＥＧー２ＴＳスプリッタ３０２で分離されたＭＰＥＧー２ビデオストリームを復号化する。
【００６７】
ＭＰＥＧー２オーディオデコーダ３０５は、図１における音声ストリーム復号化手段１０５に対応し、ＭＰＥＧー２ＴＳスプリッタ３０２で分離されたＭＰＥＧー２オーディオストリームを復号化する。
【００６８】
映像バッファ３０６は、図１における映像記憶手段１０６に対応し、ＭＰＥＧー２ビデオデコーダ３０４によって復号化された映像データを保持する。
【００６９】
ＢＭＬブラウザ３０７は、図１におけるデータ表示画面生成手段１０７に対応し、ＰＤＡ３０８における視聴者の操作に応じて、ＢＭＬ文書バッファ３０３に保持されているＢＭＬ文書の表示画面および映像バッファ３０６に保持されている映像データの表示画面の生成を行う。
【００７０】
ビデオＤＡＣ３０９は、ディスプレイ３１１と合わせて、図１における映像表示手段１１０に対応し、復号化されたデジタルビデオ信号をアナログビデオ信号に変換し、ビデオ映像をディスプレイ３１１に表示する。
【００７１】
オーディオＤＡＣ３１０は、アンプ３１２と合わせて、図１における発音手段１１１に対応し、復号化されたデジタルオーディオ信号をアナログオーディオ信号に変換して発音する。
【００７２】
なお、ディスプレイ３１１内部にビデオＤＡＣ３０９を設け、アンプ３１２内部にオーディオＤＡＣ３１０を設ける構成としてもよいことはいうまでもない。
【００７３】
ＰＤＡ３０８は、図１における表示制御手段１１２に対応し、視聴者の操作を受け付け、操作の結果を表示する。
【００７４】
なお、ＰＤＡ３０８とＢＭＬブラウザ３０７との間の信号の送受信は、赤外線送受信インタフェース（図示せず）によって行う。
【００７５】
ＰＤＡ３０８では、画面上をペンで押すことでマウスと同等の入力作業が行えるので、表示されているデータ放送の画面上のボタンなどを押すことで制御信号が発生し、ＢＭＬブラウザ３０７上でＢＭＬ文書のハイパーリンクが起動されて画面の遷移が発生し、更新されたデータ表示画面がＰＤＡの画面上に表示される。
【図面の簡単な説明】
【００７６】
【図１】本発明のデータ放送受信システムの実施の形態を示す構成ブロック図である。
【図２】本発明のデータ放送受信システムの動作を示すフローチャートである。
【図３】本発明のデータ放送受信システムの具体的実施例を示す構成ブロック図である。
【図４】ＰＩＤを説明するための図である。
【図５】従来のデータ放送受信システムを示す構成ブロック図である。
【符号の説明】
【００７７】
１、２    データ放送受信システム
５０    データ放送受信システム
１００、３００    データ放送受信装置
１０１    多重化ストリーム入力手段
１０２    ストリーム分離手段
１０３    データ記憶手段
１０４    映像ストリーム復号化手段
１０５    音声ストリーム復号化手段
１０６    映像記憶手段
１０７    データ表示画面生成手段
１０８    制御信号入力手段
１０９    データ表示手段
１１０    映像表示手段
１１１    発音手段
１１２    表示制御手段
３０１    ＩＥＥＥ１３９４インタフェース
３０２    ＭＰＥＧー２ＴＳスプリッタ
３０３    ＢＭＬ文書バッファ
３０４    ＭＰＥＧー２ビデオデコーダ
３０５    ＭＰＥＧー２オーディオデコーダ
３０６    映像バッファ
３０７    ＢＭＬブラウザ
３０８    ＰＤＡ
３０９    ビデオＤＡＣ
３１０    オーディオＤＡＣ
３１１    ディスプレイ
３１２    アンプ
４０１    多重化ストリーム入力手段
４０２    ストリーム分離手段
４０３    データ記憶手段
４０４    映像ストリーム復号化手段
４０５    音声ストリーム復号化手段
４０６    映像記憶手段
４０７    データ表示画面生成手段
４０８    制御信号入力手段
４０９    表示画面切替手段
４１０    表示手段
４１１    発音手段
【図１】
2005184499.tif 000003
【図２】
2005184499.tif 000004
【図３】
2005184499.tif 000005
【図４】
2005184499.tif 000006
【図５】
2005184499.tif 000007